(57)【特許請求の範囲】
【請求項１】
複数のコンテンツ送信装置とデータライン及びホットプラグラインを介して接続する複数の入力端子と、
前記複数の入力端子の中から１つの入力端子を選択する選択部と、
前記複数のコンテンツ送信装置からコンテンツデータを受信し、前記選択部によって選択された前記入力端子に入力されたコンテンツデータを出力する受信部と、
前記受信部が、前記選択部によって現在選択されている前記入力端子以外の入力端子から、新たにコンテンツデータを受信開始した場合、新たにコンテンツデータを受信開始した前記入力端子を前記選択部に選択させる選択制御部とを備え、
前記受信部が前記複数のコンテンツ送信装置に対するホットプラグ信号を第２のレベルから第１のレベルに反転させるとき、前記選択制御部が、所定時間、前記選択部によって現在選択されている前記入力端子以外の入力端子から、新たにコンテンツデータを受信開始した場合であっても、新たにコンテンツデータを受信開始した前記入力端子を前記選択部に選択させない、コンテンツ受信装置。
【請求項２】
前記受信部が、前記選択部によって現在選択されている前記入力端子以外の入力端子から、新たにコンテンツデータを受信開始した場合、新たにコンテンツデータを受信開始した前記入力端子を最終選択入力端子として記憶する記憶部をさらに備え、
前記選択制御部が、前記選択部によって現在選択されている前記入力端子と、前記記憶部に記憶されている前記最終選択入力端子とが異なる場合に、前記選択部に前記最終選択入力端子を選択させ、
前記受信部が前記複数のコンテンツ送信装置に対するホットプラグ信号を第２のレベルから第１のレベルに反転させるとき、前記選択制御部が、所定時間経過後に、前記選択部によって現在選択されている前記入力端子と、前記記憶部に記憶されている前記最終選択入力端子とが異なる場合に、前記選択部に前記最終選択入力端子を選択させる、請求項１に記載のコンテンツ受信装置。
【請求項３】
複数のコンテンツ送信装置とデータライン及びホットプラグラインを介して接続する複数の入力端子を備えるコンテンツ受信装置の動作方法であって、
前記複数の入力端子の中から１つの入力端子を選択する選択ステップと、
前記複数のコンテンツ送信装置からコンテンツデータを受信し、前記選択ステップによって選択された前記入力端子に入力されたコンテンツデータを出力する受信ステップと、
前記受信ステップが、前記選択ステップによって現在選択されている前記入力端子以外の入力端子から、新たにコンテンツデータを受信開始した場合、新たにコンテンツデータを受信開始した前記入力端子を前記選択ステップに選択させる選択制御ステップとを含み、
前記受信ステップが前記複数のコンテンツ送信装置に対するホットプラグ信号を第２のレベルから第１のレベルに反転させるとき、前記選択制御ステップが、所定時間、前記選択ステップによって現在選択されている前記入力端子以外の入力端子から、新たにコンテンツデータを受信開始した場合であっても、新たにコンテンツデータを受信開始した前記入力端子を前記選択ステップに選択させない、コンテンツ受信方法。
【請求項４】
複数のコンテンツ送信装置とデータライン及びホットプラグラインを介して接続する複数の入力端子と、
前記複数の入力端子の中から１つの入力端子を選択する選択部と、
前記複数のコンテンツ送信装置からコンテンツデータを受信し、前記選択部によって選択された前記入力端子に入力されたコンテンツデータを出力する受信部とを備えるコンテンツ受信装置に、
前記受信部が、前記選択部によって現在選択されている前記入力端子以外の入力端子から、新たにコンテンツデータを受信開始した場合、新たにコンテンツデータを受信開始した前記入力端子を前記選択部に選択させる選択制御ステップを実行させ、
前記受信部が前記複数のコンテンツ送信装置に対するホットプラグ信号を第２のレベルから第１のレベルに反転させるとき、前記選択制御ステップが、所定時間、前記選択部によって現在選択されている前記入力端子以外の入力端子から、新たにコンテンツデータを受信開始した場合であっても、新たにコンテンツデータを受信開始した前記入力端子を前記選択部に選択させない、コンテンツ受信プログラム。
【発明の詳細な説明】
【技術分野】
【０００１】
本発明は、複数の入力端子を備えるコンテンツ受信装置に関する。
【背景技術】
【０００２】
ＢＤプレーヤ、ＡＶアンプおよびディスプレイ装置がＨＤＭＩケーブルを介して接続されるシステムが採用されている。ＢＤプレーヤで再生された映像データは、ＡＶアンプを介してディスプレイ装置に出力される。
【０００３】
ＡＶアンプは複数のＨＤＭＩ入力端子を有しており、複数のＢＤプレーヤがＨＤＭＩケーブルを介して接続される。ここで、ＡＶアンプのＨＤＭＩ受信部はセレクタとしての機能を有し、複数のＨＤＭＩ入力端子の中から、ＨＤＭＩデータを後段に出力すべき１つのＨＤＭＩ入力端子を選択する。ＨＤＭＩ入力端子はユーザ操作によって選択されるが、煩わしいので自動的にＨＤＭＩ入力端子を選択する方法が要求される。ＨＤＭＩ受信部がＨＤＭＩ入力端子を自動的に選択する手段として以下の２つが存在する。
【０００４】
１つは、ＢＤプレーヤから、ＨＤＭＩケーブルの５Ｖ電源ラインを介して５Ｖ電源電圧がＨＤＭＩ受信部に供給開始されると、ＢＤプレーヤがスタンバイ状態から電源オン状態に移行したと判断し、５Ｖ電源電圧を供給開始したＢＤプレーヤが接続されているＨＤＭＩ入力端子に自動的に切換える方法である。しかし、ＢＤプレーヤ等ソース機器の中には、スタンバイ状態であっても常時５Ｖ電源電圧を供給するものが存在するので、このようなＢＤプレーヤがスタンバイ状態で新たにＡＶアンプに接続された場合に、当該ＢＤプレーヤが接続されたＨＤＭＩ入力端子を自動的に選択してしまい、映像や音声が再生されなくなるという問題がある。
【０００５】
もう１つは、ＨＤＭＩのＣＥＣラインを介して送受信されるＣＥＣコマンドに応じて、自動的にＨＤＭＩ受信部が適切なＢＤプレーヤが接続されているＨＤＭＩ入力端子を選択する方法である。例えば、ＢＤプレーヤが再生開始した際に、ＢＤプレーヤから再生開始した旨のＣＥＣコマンドがＡＶアンプに供給される。ＨＤＭＩ受信部は当該ＣＥＣコマンドを送信してきたＢＤプレーヤが接続されているＨＤＭＩ入力端子を自動的に選択する。しかし、全ての機器がＣＥＣに対応しているわけではないので、ＣＥＣ非対応の機器にはこの方法を適用することができない。
【先行技術文献】
【特許文献】
【０００６】
【特許文献１】特開２０１０−９８５４９号公報
【発明の概要】
【発明が解決しようとする課題】
【０００７】
本発明は、上記従来の課題を解決するためになされたものであり、その目的は、ＣＥＣを使用することなく、より確実に最適なコンテンツ送信装置が接続されている入力端子を自動的に選択することができるコンテンツ送受信装置を提供することである。
【課題を解決するための手段】
【０００８】
本発明の好ましい実施形態によるコンテンツ受信装置は、複数のコンテンツ送信装置とデータライン及びホットプラグラインを介して接続する複数の入力端子と、前記複数の入力端子の中から１つの入力端子を選択する選択部と、前記複数のコンテンツ送信装置からコンテンツデータを受信し、前記選択部によって選択された前記入力端子に入力されたコンテンツデータを出力する受信部と、前記受信部が、前記選択部によって現在選択されている前記入力端子以外の入力端子から、新たにコンテンツデータを受信開始した場合、新たにコンテンツデータを受信開始した前記入力端子を前記選択部に選択させる選択制御部とを備え、前記受信部が前記複数のコンテンツ送信装置に対するホットプラグ信号を第２のレベルから第１のレベルに反転させるとき、前記選択制御部が、所定時間、前記選択部によって現在選択されている前記入力端子以外の入力端子から、新たにコンテンツデータを受信開始した場合であっても、新たにコンテンツデータを受信開始した前記入力端子を前記選択部に選択させない。
【０００９】
選択部によって現在選択されている入力端子以外の入力端子から、新たにコンテンツデータを受信開始した場合、新たにコンテンツデータを受信開始した入力端子を選択部に選択させることによって、ＣＥＣを使用することなく、より確実に最適なコンテンツ送信装置が接続されている入力端子を自動的に選択することができる。さらに、受信部が各コンテンツ送信装置に対するホットプラグ信号を第２のレベルから第１のレベルに反転させた際に、所定時間、選択部によって現在選択されている入力端子以外の入力端子から、新たにコンテンツデータを受信開始した場合であっても、新たにコンテンツデータを受信開始した入力端子を選択部に選択させないので、ホットプラグ信号が第１のレベルに反転したことを判断してからコンテンツデータをコンテンツ受信装置に送信開始するまでの時間が最も遅いコンテンツ送信装置が接続されている入力端子を常に選択してしまうという問題を解決することができる。
【００１０】
好ましい実施形態においては、前記受信部が、前記選択部によって現在選択されている前記入力端子以外の入力端子から、新たにコンテンツデータを受信開始した場合、新たにコンテンツデータを受信開始した前記入力端子を最終選択入力端子として記憶する記憶部をさらに備え、前記選択制御部が、前記選択部によって現在選択されている前記入力端子と、前記記憶部に記憶されている前記最終選択入力端子とが異なる場合に、前記選択部に前記最終選択入力端子を選択させ、前記受信部が前記複数のコンテンツ送信装置に対するホットプラグ信号を第２のレベルから第１のレベルに反転させるとき、前記選択制御部が、所定時間経過後に、前記選択部によって現在選択されている前記入力端子と、前記記憶部に記憶されている前記最終選択入力端子とが異なる場合に、前記選択部に前記最終選択入力端子を選択させる。
【発明の効果】
【００１１】
ＣＥＣを使用することなく、より確実に最適なコンテンツ送信装置が接続されている入力端子を自動的に選択することができるコンテンツ送受信装置を提供することができる。
【図面の簡単な説明】
【００１２】
【図１】本発明の好ましい実施形態によるＡＶアンプ１、ＢＤプレーヤ２０およびディスプレイ装置３０を示すブロック図である。
【図２】制御部５の処理を示すフローチャートである。
【発明を実施するための形態】
【００１３】
以下、本発明の好ましい実施形態によるＢＤ（ブルーレイディスク）プレーヤ（コンテンツ送信装置）、ＡＶアンプ（コンテンツ受信装置）およびディスプレイ装置について、図面を参照して具体的に説明するが、本発明はこれらの実施形態には限定されない。
【００１４】
図１は、ＡＶアンプ１、ＢＤプレーヤ２０Ａ、２０Ｂおよびディスプレイ装置３０を示すブロック図である。ＡＶアンプ１には、ＨＤＭＩケーブルを介してＢＤプレーヤ２０Ａ、２０Ｂ、および、ディスプレイ装置３０が接続されている。
【００１５】
図１を参照し、ＢＤプレーヤ２０Ａの構成を説明するが、ＢＤプレーヤ２０Ｂの構成も同様である。ＢＤプレーヤ２０Ａは、再生部２１と、ＨＤＭＩ送信部２２と、制御部２３と、操作表示部２４と、メモリ（ＲＯＭ、ＲＡＭ等）２５と、ＨＤＭＩ出力端子２６とを備える。
【００１６】
再生部２１は、ブルーレイディスク（以下、ディスクという。）に記録されている映像データ及び音声データをディスクから読み出して、ＨＤＭＩ送信部２２に供給する。再生部２１は、光ピックアップ、サーボ回路、ＭＰＥＧデコーダ、音声デコーダ等を含む。
【００１７】
ＨＤＭＩ送信部２２は再生部２１から供給された映像データおよび音声データを、制御部２３からの指示により、ＨＤＭＩ規格のデータ（以下、ＨＤＭＩデータという。）に変換する。ＨＤＭＩ送信部２２は、ＨＤＭＩデータを、ＨＤＭＩ出力端子２６を介してＡＶアンプ１に送信する。ＨＤＭＩ送信部２２は、ＨＤＭＩデータを送受信するＴＭＤＳライン、および、接続の有無を判断するためのホットプラグラインを介して、ＡＶアンプ１のＨＤＭＩ受信部２に接続される。
【００１８】
制御部２３は、メモリ２５に格納されているプログラムに基づいて、ＢＤプレーヤ２０の各部を制御するものであり、例えば、マイコンやＣＰＵ等である。操作表示部２４は、ユーザ操作を受け付けるものであり、かつ、再生中のコンテンツの情報等を表示するものである。
【００１９】
ＡＶアンプ１は、ＨＤＭＩ受信部２と、ＨＤＭＩ送信部３と、音声処理部４と、制御部５と、メモリ（ＲＯＭ、ＲＡＭ等）６、操作表示部７と、ＨＤＭＩ入力端子８、９と、ＨＤＭＩ出力端子１０とを備える。
【００２０】
ＨＤＭＩ入力端子８にはＢＤプレーヤ２０ＡがＨＤＭＩケーブルを介して接続され、ＢＤプレーヤ２０Ａから入力されたＨＤＭＩデータをＨＤＭＩ受信部２に供給する。ＨＤＭＩ入力端子９にはＢＤプレーヤ２０ＢがＨＤＭＩケーブルを介して接続され、ＢＤプレーヤ２０Ｂから入力されたＨＤＭＩデータをＨＤＭＩ受信部２に供給する。
【００２１】
ＨＤＭＩ受信部２は、ＢＤプレーヤ２０ＡからのＨＤＭＩデータを、ＨＤＭＩ入力端子８を介して受信する。また、ＨＤＭＩ受信部２は、ＢＤプレーヤ２０ＢからのＨＤＭＩデータを、ＨＤＭＩ入力端子９を介して受信する。ＨＤＭＩ受信部２は、セレクタとしての機能を有する。つまり、ＨＤＭＩ受信部２は、ＨＤＭＩ入力端子８、９の中から、ＨＤＭＩデータを処理して後段（例えばＨＤＭＩ送信部３）に出力するＨＤＭＩ入力端子を１つ選択する。ＨＤＭＩ受信部２は、ＨＤＭＩデータから元の映像データ（ＨＤＭＩ変換前の映像データ）を生成し、ＨＤＭＩ送信部３に供給する。ＨＤＭＩ受信部２は、ＨＤＭＩデータから元の音声データ生成し、音声処理部４に供給する。例えば、ＨＤＭＩ入力端子８が選択されているとき、ＨＤＭＩ受信部２は、複数のＨＤＭＩ入力端子から受信したＨＤＭＩデータのうち、ＨＤＭＩ入力端子８からのＨＤＭＩデータの映像データをＨＤＭＩ送信部３に出力する。
【００２２】
ＨＤＭＩ受信部２は、複数のＨＤＣＰ復号回路を有しており、選択していないＨＤＭＩ入力端子に接続されているＢＤプレーヤからもＨＤＭＩデータを受信することができ、事前に（選択する前に）ＢＤプレーヤとの間でＨＤＣＰ認証を実行することができる。
【００２３】
ＨＤＭＩ受信部２は、ホットプラグラインを介して、各ＢＤプレーヤ２０のＨＤＭＩ送信部２２に接続される。ホットプラグラインは、ＨＤＭＩのホットプラグ信号を出力するラインである。ＢＤプレーヤ２０は、ＡＶアンプ１から出力されるホットプラグ信号がローレベル（第２のレベル）であれば、ＡＶアンプ１がアクティブ（ＨＤＭＩデータを受信して処理できる状態）でない、又は、ＡＶアンプ１が接続されていないと判断し、ホットプラグ信号がハイレベル（第１のレベル）であれば、ＡＶアンプ１が接続されていると判断する。
【００２４】
ＨＤＭＩ送信部３は、ＨＤＭＩ受信部２から供給された映像データ、および、必要に応じて音声処理部４から供給された音声データを、ＨＤＭＩデータに変換し、ＨＤＭＩ出力端子１０を介してディスプレイ装置３０に送信する。ＨＤＭＩ送信部３は、ＴＭＤＳラインおよびホットプラグラインを介してディスプレイ装置３０のＨＤＭＩ受信部３１に接続されている。
【００２５】
音声処理部４は、ＨＤＭＩ受信部２から供給された音声データに対して、信号処理、増幅処理、Ｄ／Ａ変換等の処理を実行し、外部に接続されたスピーカー６０に音声信号を供給する。また、必要に応じて、音声処理部４は、音声データをＨＤＭＩ送信部３に供給する。
【００２６】
制御部５は、メモリ６に格納されているプログラムを実行することによって、ＡＶアンプ１の各部を制御するものであり、例えばマイコンやＣＰＵ等である。制御部５は、ＨＤＭＩ受信部２が現在選択しているＨＤＭＩ入力端子以外のＨＤＭＩ入力端子にＨＤＭＩデータが新たに入力開始されたことを判断すると、ＨＤＭＩデータが新たに入力開始されたＨＤＭＩ入力端子を選択するように、ＨＤＭＩ受信部２を制御する。
【００２７】
特に限定されないが、ＡＶアンプ１の電源状態がスタンバイ状態のときにはユーザ操作によってＨＤＭＩ入力端子を選択することができないので、スタンバイ状態のときに新たにＨＤＭＩデータが入力開始されたＨＤＭＩ入力端子をＨＤＭＩ受信部２に自動的に選択させると、より効果が大きい。なお、ここでいうスタンバイ状態とは、制御部５、ＨＤＭＩ受信部２およびＨＤＭＩ受信部３には電源電圧が供給され、その他の部分に電源電圧が供給されない状態であり、ＡＶアンプ１は、スタンバイ状態において、ＢＤプレーヤ２０からＨＤＭＩデータを受信し、ディスプレイ装置３０にＨＤＭＩデータを送信することができる。
【００２８】
ここで、ディスプレイ装置３０が例えば入力セレクタの変更処理等によって、ＡＶアンプ１に対するホットプラグ信号をハイレベルからローレベルに反転させる（および、必要に応じて、その後ローレベルからハイレベルに反転させる）と、ＡＶアンプ１のＨＤＭＩ受信部２は、各ＢＤプレーヤ２０に対してホットプラグ信号をハイレベルからローレベルに反転させ、その後、ローレベルからハイレベルに反転させる。各ＢＤプレーヤ２０のＨＤＭＩ送信部２２は、ＡＶアンプ１からのホットプラグ信号がローレベルからハイレベルに反転したことを判断すると、ＡＶアンプ１のＨＤＭＩ受信部２とＨＤＣＰ認証を実行し、ＨＤＭＩデータを送信開始する。そして、ホットプラグ信号がローレベルからハイレベルに反転したことを判断してから、ＨＤＭＩデータを送信開始するまでに要する時間がＢＤプレーヤ２０によって異なっている。従って、ＡＶアンプ１のＨＤＭＩ受信部２は、単にＨＤＭＩデータが新たに入力開始されたＨＤＭＩ入力端子を選択するように処理するだけでは、ホットプラグ信号をローレベルからハイレベルに反転させた際に、ホットプラグ信号がハイレベルに反転したことを判断してからＨＤＭＩデータを送信開始するまでに要する時間が最も長いＢＤプレーヤを常に選択してしまうという問題が生じる。つまり、ＢＤプレーヤ２０は、ディスクを再生していない状態であっても電源オン状態であれば、ＨＤＭＩデータ（単なるブルー画面）を出力しているので、再生していないＢＤプレーヤが最後にＨＤＭＩデータを出力開始すると、ユーザの意に反して、再生していないＢＤプレーヤが常に自動的に選択され、映像や音声が再生されない状態になってしまう。この問題は、ディスプレイ装置３０とは無関係に、ＡＶアンプ１の設定が変更される等により、ＡＶアンプ１が各ＢＤプレーヤ２０に対するホットプラグ信号をハイレベルからローレベルにし、その後、ローレベルからハイレベルに反転させる場合にも同様に生じる。
【００２９】
そこで、本実施形態では、制御部５は、ＨＤＭＩデータが新たに入力開始されたＨＤＭＩ入力端子をＨＤＭＩ受信部２に自動的に選択させ、かつ、このＨＤＭＩ入力端子を最終選択入力端子としてメモリ６に記憶させる。そして、ＨＤＭＩ受信部２がＢＤプレーヤ２０に対するホットプラグ信号をローレベルからハイレベルに反転させた後、制御部５は、所定時間経過するまで待機し、この期間にはＨＤＭＩ受信部２によって現在選択されているＨＤＭＩ入力端子以外のＨＤＭＩ入力端子から、新たにコンテンツデータを受信開始した場合であっても、新たにコンテンツデータを受信開始したＨＤＭＩ入力端子を最終選択入力端子としてメモリ６に記憶させず、ＨＤＭＩ受信部２に選択させない。制御部５は、所定時間経過した際に、ＨＤＭＩ受信部２によって現在選択されているＨＤＭＩ入力端子と、メモリ６に記憶されている最終選択入力端子とが異なる場合に、ＨＤＭＩ受信部２に最終選択入力端子を選択させる。
【００３０】
ここで、上記所定時間は、全てのＢＤプレーヤ２０が、ＡＶアンプ１からのホットプラグ信号がローレベルからハイレベルに反転したことを判断してから、ＨＤＣＰ認証を実行しＨＤＭＩデータを送信開始し終えると推定される時間である。所定時間は、ＡＶアンプ１の設計者によってＡＶアンプ１に予め設定されている。従って、ＨＤＭＩ受信部２がホットプラグ信号をローレベルからハイレベルに反転させる場合であっても、ＨＤＭＩ受信部２が選択するＢＤプレーヤが、ホットプラグ信号がローレベルからハイレベルに反転したことを判断してからＨＤＭＩデータを送信開始するまでに要する時間が最も長いＢＤプレーヤに常に変更されてしまうことを防止できる。
【００３１】
ディスプレイ装置３０は、ＨＤＭＩ受信部３１と、表示部３２と、制御部３３と、操作部３４と、音声処理部３５と、スピーカー３６と、メモリ（ＲＯＭ、ＲＡＭ等）３７と、ＨＤＭＩ入力端子３８と、を備える。
【００３２】
ＨＤＭＩ受信部３１は、ＨＤＭＩ送信部３からのＨＤＭＩデータを、ＨＤＭＩ入力端子３８を介して受信し、ＨＤＭＩデータから元の映像データを生成し、表示部３２に供給する。ＨＤＭＩ受信部３１は、ＨＤＭＩデータから元の音声データを生成して、音声処理部３５に供給する。
【００３３】
ＨＤＭＩ受信部３１は、ＴＭＤＳラインおよびホットプラグラインを介して、ＡＶアンプ１のＨＤＭＩ送信部３に接続される。ＨＤＭＩ受信部３１は、ディスプレイ装置３０の設定を変更する（例えば、入力セレクタの切換処理が実行される）際に、ホットプラグ信号をハイレベルから一旦ローレベルに反転させ、その後、再度ローレベルからハイレベルに反転させる。これにより、ＡＶアンプ１のＨＤＭＩ送信部３や制御部５に、ディスプレイ装置３０の設定情報を再度読み出すことを促す。
【００３４】
表示部３２は、ＨＤＭＩ受信部３１から映像データが供給され、映像データに基づいて映像を表示するものであり、例えば、ＬＣＤ、ＰＤＰ等である。音声処理部３５は、ＨＤＭＩ受信部３１から供給された音声データを、信号処理、増幅処理、Ｄ／Ａ変換等の処理を実行し、スピーカー３６に供給する。  制御部３３は、メモリ３７に格納されているプログラムを実行することにより、ディスプレイ装置３０の各部を制御するものであり、例えば、マイコンやＣＰＵ等である。
【００３５】
図２を参照して本実施形態の動作を説明する。制御部２は、ＡＶアンプ１の電源状態がスタンバイ状態のとき、ユーザ操作によって予め自動入力選択モードが設定されているか否かを判断する（Ｓ１）。自動入力選択モードとは、ＡＶアンプ１がスタンバイ状態のときに、現在ＨＤＭＩ受信部２によって選択されているＨＤＭＩ入力端子以外のＨＤＭＩ入力端子にＨＤＭＩデータが新たに入力開始された場合に、ＨＤＭＩ受信部２が自動的に、ＨＤＭＩデータが新たに入力開始されたＨＤＭＩ入力端子に選択を変更するモードである。自動入力選択モードでなければ（Ｓ１でＮＯ）、制御部５は、現在ＨＤＭＩ受信部２が選択しているＨＤＭＩ入力端子を最終選択入力端子としてメモリ６に記憶させる（Ｓ２）。
【００３６】
自動入力選択モードであれば（Ｓ１でＹＥＳ）、制御部５は、現在ＨＤＭＩ受信部２によって選択されているＨＤＭＩ入力端子以外のＨＤＭＩ入力端子にＢＤプレーヤ２０からＨＤＭＩデータが新たに入力開始されたか否かを判断する（Ｓ３）。これは、ＨＤＭＩ受信部２からの通知によって制御部５が判断することができる。入力開始されない場合（Ｓ３でＮＯ）、Ｓ５に進む。
【００３７】
入力開始された場合（Ｓ３でＹＥＳ）、制御部５は、ＨＤＭＩデータが新たに入力開始されたＨＤＭＩ入力端子を最終選択入力端子としてメモリ６に記憶させる（Ｓ４）。例えば、ＨＤＭＩ受信部２がＨＤＭＩ入力端子８を選択している状態で、ＨＤＭＩ入力端子９から新たにＨＤＭＩデータが入力開始された場合、ＨＤＭＩ入力端子９が最終選択入力端子として記憶される。
【００３８】
その後、制御部５は、現在ＨＤＭＩ受信部２によって選択されているＨＤＭＩ入力端子と、メモリ６に記憶されている最終選択入力端子とが異なっているか否かを判断する（Ｓ８）。同じである場合（Ｓ８でＮＯ）、Ｓ１に戻る。ここでは、Ｓ４において、メモリ６に記憶されている最終選択入力端子が変更されているので、現在ＨＤＭＩ受信部２によって選択されているＨＤＭＩ入力端子と、メモリ６に記憶されている最終選択入力端子とが異なっている（Ｓ８でＹＥＳ）。従って、制御部２は、ＨＤＭＩ受信部２に、メモリ６に記憶されている最終選択入力端子を選択させる（Ｓ９）。従って、現在ＨＤＭＩ受信部２によって選択されているＨＤＭＩ入力端子以外のＨＤＭＩ入力端子にＢＤプレーヤからＨＤＭＩデータが新たに入力開始された場合に、自動的に、新たにＨＤＭＩデータが入力開始されたＨＤＭＩ入力端子をＨＤＭＩ受信部２に選択させることができる。例えば、ＨＤＭＩ受信部２がＨＤＭＩ入力端子８を選択している状態でＨＤＭＩ入力端子９が最終選択入力端子として記憶されている場合、ＨＤＭＩ受信部２がＨＤＭＩ入力端子８に代えてＨＤＭＩ入力端子９を選択する。従って、ＨＤＭＩ入力端子９に入力されるＨＤＭＩデータがＡＶアンプ１からディスプレイ装置３０に送信されるようになる。
【００３９】
Ｓ５において、制御部２は、ＡＶアンプ１（ＨＤＭＩ受信部２）が各ＢＤプレーヤに対するホットプラグ信号をハイレベルからローレベルに反転させたか否かを判断する。これは、ＨＤＭＩ受信部２からの通知により制御部５が判断することができる。例えば、ディスプレイ装置３０の入力セレクタが変更された場合に、ディスプレイ装置３０はＡＶアンプ１に対するホットプラグ信号をハイレベルからローレベルに反転させ、その後、ローレベルからハイレベルに反転させる。これに応じて、ＡＶアンプ１のＨＤＭＩ受信部２は、各ＢＤプレーヤに対するホットプラグ信号をハイレベルからローレベルに反転させ、その後、ローレベルからハイレベルに反転させる。各ＢＤプレーヤ２０に対するホットプラグ信号をハイレベルからローレベルに反転させなければ（Ｓ５でＮＯ）、Ｓ８に進む。各ＢＤプレーヤ２０に対するホットプラグ信号をハイレベルからローレベルに反転させた場合（Ｓ５でＹＥＳ）、Ｓ６に進む。
【００４０】
制御部２は、ＡＶアンプ１（ＨＤＭＩ受信部２）が各ＢＤプレーヤ２０に対するホットプラグ信号をローレベルからハイレベルに反転させたか否かを判断する（Ｓ６）。これは、ＨＤＭＩ受信部２からの通知により制御部５が判断することができる。各ＢＤプレーヤ２０に対するホットプラグ信号をローレベルからハイレベルに反転させた場合（Ｓ６でＹＥＳ）、制御部５は、ＨＤＭＩ受信部２がホットプラグ信号をローレベルからハイレベルに反転させたときから所定時間経過したか否かを判断する（Ｓ７）。
【００４１】
つまり、制御部５は、ＨＤＭＩ受信部２が各ＢＤプレーヤ２０に対するホットプラグ信号をローレベルからハイレベルに反転させた際に、タイマカウントを開始し、タイマのカウント時間が所定時間に達したか否かを判断する。上記の通り、所定時間は、全てのＢＤプレーヤ２０が、ＡＶアンプ１からのホットプラグ信号がハイレベルに反転したことを検出してから、ＡＶアンプ１とＨＤＣＰ認証を実行し、ＡＶアンプ１にＨＤＭＩデータを送信開始し終えると推定される時間である。なお、上記に限定されず、ＨＤＭＩ受信部２が各ＢＤプレーヤ２０に対するホットプラグ信号をハイレベルからローレベルに反転させたときから所定時間経過したか否かを判断するようにしてもよい。
【００４２】
所定時間経過するまでの間、制御部２は処理の実行を待機する（Ｓ７でＮＯ）。所定時間経過すると（Ｓ７でＹＥＳ）、処理はＳ８に進み、現在ＨＤＭＩ受信部２によって選択されているＨＤＭＩ入力端子と、メモリ６に記憶されている最終選択入力端子とが異なる場合（Ｓ８でＹＥＳ）、ＨＤＭＩ受信部２に最終選択入力端子を選択させる（Ｓ９）。
【００４３】
すなわち、ＨＤＭＩ受信部２が各ＢＤプレーヤ２０に対するホットプラグ信号をローレベルからハイレベルに反転させた後、所定時間経過するまでの間は、Ｓ３、Ｓ４、Ｓ８、Ｓ９の各処理が実行されないので、現在ＨＤＭＩ受信部２によって選択されているＨＤＭＩ入力端子以外のＨＤＭＩ入力端子に新たにＨＤＭＩデータが入力開始されても、新たにＨＤＭＩデータが入力開始されたＨＤＭＩ入力端子を最終選択入力端子としてメモリ６に記憶させることはなく、新たにＨＤＭＩデータが入力開始されたＨＤＭＩ入力端子をＨＤＭＩ受信部２に選択させることはない。従って、ＨＤＭＩ受信部２が各ＢＤプレーヤ２０に対するホットプラグ信号をローレベルからハイレベルに反転させた際に、ＡＶアンプ１とＨＤＣＰ認証しＨＤＭＩデータをＡＶアンプ１に送信開始するまでの時間が最も遅いＢＤプレーヤ２０が接続されているＨＤＭＩ入力端子を、ＨＤＭＩ受信部２が常に選択してしまうという問題を解決することができる。
【００４４】
例えば、ＨＤＭＩ受信部２によってＨＤＭＩ入力端子８が選択され、最終選択入力端子がＨＤＭＩ入力端子８である際に、ＨＤＭＩ受信部２がホットプラグ信号をハイレベルからローレベルに反転させ、その後、ローレベルからハイレベルに反転させたとき、ＨＤＭＩ入力端子８に接続されているＢＤプレーヤ２０Ａが最初にＨＤＭＩデータを出力開始し、その後、ＨＤＭＩ入力端子９に接続されているＢＤプレーヤ２０ＢがＨＤＭＩデータを出力開始する場合であっても、ＨＤＭＩ入力端子９を最終選択入力端子として記憶させず、ＨＤＭＩ入力端子９をＨＤＭＩ受信部２に選択させない。
【００４５】
なお、Ｓ７でＹＥＳと判断された場合に、Ｓ８ではなくＳ１に戻るようにしてもよい。しかし、Ｓ８に進むことによって、他の要因によってＨＤＭＩ受信部２が最終選択入力端子以外のＨＤＭＩ入力端子を選択してしまった場合であっても、ホットプラグ信号がローレベルからハイレベルに反転されてから所定時間経過後に、ＨＤＭＩ受信部２に最終選択入力端子を選択させることができる。
【００４６】
以上、本発明の好ましい実施形態を説明したが、本発明はこれらの実施形態には限定されない。本発明のコンテンツ受信装置はＡＶアンプ１以外にも適用可能であり、例えば、ディスプレイ装置３０に各ＢＤプレーヤ２０等のソース機器が直接（ＡＶアンプ１を介さずに）接続される場合、ディスプレイ装置３０にも適用することもできる。また、ＢＤプレーヤ、ＡＶアンプ、ディスプレイ装置の上記動作をコンピュータに実行させるためのコンピュータプログラムおよびこれを記録した記録媒体という形態で提供されてもよい。
【産業上の利用可能性】
【００４７】
本発明は、ＡＶアンプやディスプレイ装置等に好適に採用され得る。
【符号の説明】
【００４８】
１              ＡＶアンプ
２              ＨＤＭＩ受信部
３              ＨＤＭＩ送信部
４              音声処理部
５              ＨＤＭＩ送信部
６              メモリ
７              操作表示部
８              ＨＤＭＩ入力端子
９              ＨＤＭＩ入力端子
２０Ａ          ＢＤプレーヤ
２０Ｂ          ＢＤプレーヤ
３０            ディスプレイ装置
【図１】
0005278835.tif 000002
【図２】
0005278835.tif 000003